(57)【特許請求の範囲】
【請求項１】
容器の口部に固定されるスカート部と、該スカート部と周方向スリットを介して設けられた上蓋とを有し、
前記周方向スリットには、前記上蓋を前記スカート部に対して回動可能に一体に接続するヒンジ機構と、未開封時はスカート部と上蓋とを一体に接続するタンパーエビデント機構が形成されてなるヒンジキャップであって、
前記タンパーエビデント機構が、少なくとも１つの上蓋延長凸壁と、少なくとも１つのスカート延長凸壁と、少なくとも１つの周方向ブリッジ片とを有し、
前記上蓋延長凸壁は、前記上蓋のスカート部側の下端縁から前記スカート部に向けて突出するように形成され、
前記スカート延長凸壁は、前記上蓋延長凸壁と周方向に重ならない位置で前記スカート部の上蓋側の上端縁から前記上蓋に向けて突出するように形成され、
前記周方向ブリッジ片は、可撓性を有し、前記上蓋延長凸壁と前記スカート延長凸壁の対向する側端縁を接続するとともに、開封時に破断する部分として長手方向の中央部に断面積が他の部分より小さくなるように形成された弱化部を有し、
前記タンパーエビデント機構は、前記上蓋のスカート部側の下端縁と前記スカート延長凸壁の上端縁との間または前記スカート部の上蓋側の上端縁と前記上蓋延長凸壁の下端縁との間の少なくとも１箇所を開封時に破断可能に接続する少なくとも１つの上下ブリッジ片を有し、
前記上下ブリッジ片が、前記ヒンジ機構と周方向対称の位置に設けられたスカート延長凸壁の上端縁または上蓋延長凸壁の下端縁に少なくとも１つ設けられ、
前記ヒンジ機構と周方向対称の位置に設けられたスカート延長凸壁または上蓋延長凸壁の両側方に、上蓋延長凸壁またはスカート延長凸壁が左右対称に設けられ、
前記周方向ブリッジ片が、それぞれ前記ヒンジ機構と周方向対称の位置に設けられたスカート延長凸壁または上蓋延長凸壁の両側の側端縁を、それぞれ対向する上蓋延長凸壁の側端縁またはスカート延長凸壁の側端縁と接続するように形成されていることを特徴とするヒンジキャップ。
【請求項２】
前記弱化部が、前記周方向ブリッジ片の外側から切込部を形成して構成されていることを特徴とする請求項１に記載のヒンジキャップ。
【請求項３】
前記周方向ブリッジ片は、その長手方向が周方向に対して角度を有するように形成されていることを特徴とする請求項１または請求項２に記載のヒンジキャップ。
【請求項４】
前記上下ブリッジ片が、前記ヒンジ機構と周方向対称の位置に設けられたスカート延長凸壁または上蓋延長凸壁の両側方に左右対称に設けられた上蓋延長凸壁の下端縁またはスカート延長凸壁の上端縁にもそれぞれ設けられていることを特徴とする請求項１乃至請求項３のいずれかに記載のヒンジキャップ。
【請求項５】
前記周方向ブリッジ片により接続された対向する前記上蓋延長凸壁の側端縁とスカート延長凸壁の側端縁との周方向の間隔が、３．５ｍｍ以上６．５ｍｍ以下であることを特徴とする請求項１乃至請求項４のいずれかに記載のヒンジキャップ。
【発明の詳細な説明】
【技術分野】
【０００１】
本発明は、容器の口部に一体に固定され、未開封時は容器の口部を閉じ、開封後は容器から離脱することなく回動して、容器の口部の上方で開閉可能としたヒンジキャップに関する。
【背景技術】
【０００２】
従来、液体洗剤やスポーツ飲料充填ボトル等のキャップにおいて、容器の口部に固定されるスカート部と、ヒンジ機構により該スカート部と回動可能に接続された上蓋とを備えたヒンジキャップが多く用いられている。
また、容器のキャップにおいて、未開封か開封済みかを識別するために、容器に固定されるスカート部と開閉可能な上蓋とを、未開封時に破断可能なタンパーエビデント機構によって一体に接続し、タンパーエビデント機構を開封時に破断することで識別可能としたものが公知である。
【０００３】
このタンパーエビデント機構は、種々の形態のものが知られており、例えば、実開平１−１０７５５８号公報（特許文献１）に示すように、スカート部（特許文献１に記載された瓶蓋１の周壁３の下方の瓶の口部に一体に固定される部分が相当）と上蓋（特許文献１に記載された瓶蓋１の周壁３の上方の開閉可能な部分が相当）との間に、開封時に上下方向に破断可能な上下ブリッジ片（特許文献１に記載された瓶蓋１のブリッジ部８が相当）を形成してタンパーエビデント機構としたヒンジキャップが公知である。
しかしながら、このような公知のタンパーエビデント機構を有するヒンジキャップにおいては、開封後に再び上蓋を閉じた際に、上蓋とスカート部の上下方向および周方向の位置が未開封時と同じ位置となるため、タンパーエビデント機構の上下ブリッジ片の破断部も破断前と同一位置で重なり、上下ブリッジ片の破断前と破断後の形状の差がほとんどなく、目視による未開封か開封済みかの識別が非常に困難であるという問題があった。
【０００４】
この問題を解決するために、上蓋の開放方向等は異なる方向に力を加えて破断して分離する部材を別途設けることで、開封後に再び上蓋を閉じた際にも当該部材の分離状態を確認可能とし、目視による未開封か開封済みかの識別を容易としたタンパーエビデント機構を有するキャップが知られている。
例えば、特許第２７４３１６０号公報（特許文献２）に示すように、スカート部（特許文献２に記載されたタンパーエビデントバンド部２２が相当）と上蓋（特許文献２に記載された上蓋部２１が相当）のいずれか一方（特許文献２においてはタンパーエビデントバンド部２２）に、未開封時は他方と接続部（特許文献２に記載されたブリッジ３２が相当）によって接続されたツマミ部を設け、該ツマミ部を開封時に外方に引くことで接続部を破断可能としたキャップが公知である。
【先行技術文献】
【特許文献】
【０００５】
【特許文献１】実開平１−１０７５５８号公報（全頁、全図）
【特許文献２】特許第２７４３１６０号公報（全頁、全図）
【発明の概要】
【発明が解決しようとする課題】
【０００６】
上記特許文献２に記載されたような公知のタンパーエビデント機構を有するキャップにおいては、上記特許文献１に記載されたような公知のキャップの問題点である目視による未開封か開封済みかの識別が困難であるという問題は低減できるが、破断して分離する部材を別途設ける必要があり、構造が複雑となって製造工程が複雑となりコストが上昇するという問題があった。
特に、このようなキャップは、射出成形等の金型を使用した成形で製造されるのが一般的であるため、構造が複雑になると金型も複雑な形状のものを準備し、かつ、金型の分割数も増やす必要があり、製造コストが極めて増加するという問題があった。
【０００７】
また、破断して分離する部材をキャップから完全に分離させるようにすると、開封時に当該部材をゴミとして廃棄する必要があり、使用者の利便性を損ねるという問題があった。
ゴミを発生させないように、分離する部材に一部破断しない部分を設けてキャップに接続されたままの構造とするものも知られているが、キャップの外方に不安定な突出物として残存することとなり、使用者の手や衣服が引っ掛かり容器を転倒させて内容物をこぼしたり、当該部材が内容物等により汚染されて美観を損ねたり、特に食品等の場合には汚染により不衛生となるという問題があった。
さらに、当該部材を接続されたままで突出を少なくした場合は、破断前の状態と同じ状態になるため、上記特許文献１に記載されたような公知のキャップと同様に、目視による未開封か開封済みかの識別が困難となるという問題があった。
【０００８】
そこで本発明は、前述したような公知のヒンジキャップの問題を解決するものであって、目視による未開封か開封済みかの識別を容易とするとともに、構造が単純で製造コストが低減され、開封時にゴミを発生させることなく、かつ、開封後に突出部が生じることなく、利便性を向上させたヒンジキャップを提供することを目的とする。
【課題を解決するための手段】
【０００９】
本請求項１に係る発明は、容器の口部に固定されるスカート部と、該スカート部と周方向スリットを介して設けられた上蓋とを有し、前記周方向スリットには、前記上蓋を前記スカート部に対して回動可能に一体に接続するヒンジ機構と、未開封時はスカート部と上蓋とを一体に接続するタンパーエビデント機構が形成されてなるヒンジキャップであって、前記タンパーエビデント機構が、少なくとも１つの上蓋延長凸壁と、少なくとも１つのスカート延長凸壁と、少なくとも１つの周方向ブリッジ片とを有し、前記上蓋延長凸壁は、前記上蓋のスカート部側の下端縁から前記スカート部に向けて突出するように形成され、前記スカート延長凸壁は、前記上蓋延長凸壁と周方向に重ならない位置で前記スカート部の上蓋側の上端縁から前記上蓋に向けて突出するように形成され、前記周方向ブリッジ片は、可撓性を有し、前記上蓋延長凸壁と前記スカート延長凸壁の対向する側端縁を接続するとともに、開封時に破断する部分として長手方向の中央部に断面積が他の部分より小さくなるように形成された弱化部を有し、前記タンパーエビデント機構は、前記上蓋のスカート部側の下端縁と前記スカート延長凸壁の上端縁との間または前記スカート部の上蓋側の上端縁と前記上蓋延長凸壁の下端縁との間の少なくとも１箇所を開封時に破断可能に接続する少なくとも１つの上下ブリッジ片を有し、前記上下ブリッジ片が、前記ヒンジ機構と周方向対称の位置に設けられたスカート延長凸壁の上端縁または上蓋延長凸壁の下端縁に少なくとも１つ設けられ、前記ヒンジ機構と周方向対称の位置に設けられたスカート延長凸壁または上蓋延長凸壁の両側方に、上蓋延長凸壁またはスカート延長凸壁が左右対称に設けられ、前記周方向ブリッジ片が、それぞれ前記ヒンジ機構と周方向対称の位置に設けられたスカート延長凸壁または上蓋延長凸壁の両側の側端縁を、それぞれ対向する上蓋延長凸壁の側端縁またはスカート延長凸壁の側端縁と接続するように形成されていることにより、前記課題を解決するものである。
【００１０】
本請求項２に係る発明は、請求項１に記載されたヒンジキャップの構成に加えて、前記弱化部が、前記周方向ブリッジ片の外側から切込部を形成して構成されていることにより、前記課題を解決するものである。
本請求項３に係る発明は、請求項１または請求項２に記載されたヒンジキャップの構成に加えて、前記周方向ブリッジ片は、その長手方向が周方向に対して角度を有するように形成されていることにより、前記課題を解決するものである。
本請求項４に係る発明は、請求項１乃至請求項３のいずれかに記載されたヒンジキャップの構成に加えて、前記上下ブリッジ片が、前記ヒンジ機構と周方向対称の位置に設けられたスカート延長凸壁または上蓋延長凸壁の両側方に左右対称に設けられた上蓋延長凸壁の下端縁またはスカート延長凸壁の上端縁にもそれぞれ設けられていることにより、前記課題を解決するものである。
本請求項５に係る発明は、請求項１乃至請求項４のいずれかに記載されたヒンジキャップの構成に加えて、前記周方向ブリッジ片により接続された対向する前記上蓋延長凸壁の側端縁とスカート延長凸壁の側端縁との周方向の間隔が、３．５ｍｍ以上６．５ｍｍ以下であることにより、前記課題を解決するものである。
【発明の効果】
【００１１】
本請求項１に係る発明のヒンジキャップによれば、周方向ブリッジ片が、開封時に破断する際、長手方向の両端部がその可撓性によって上下方向に引っ張られて、初期の長手方向と異なる方向に十分変形した後に引っ張られて破断されることとなるため、周方向ブリッジ片の破断後の残片は、破断の際に受けた力による上下方向の大きな塑性変形が残った状態となる。
このことで、開封後に再び上蓋を閉じた際に、周方向ブリッジ片の残片は破断前と同一位置では重ならず上下にずれた状態となり、目視による未開封か開封済みかの識別が容易となる。
また、破断して分離する部材を設ける必要がないため、従来の上下ブリッジ片と同様に構造が単純であり製造コストが低減されるとともに、開封時にゴミを発生させることなく、かつ、開封後に突出部が生じることなく、利便性が向上する。
さらに、長手方向の中央部に弱化部を設けることで、当該弱化部で破断した後の残片は、両端側からそれぞれ上下逆方向に塑性変形して残ることとなる。
このことで、開封後に再び上蓋を閉じた際に、両方の残片の先端が大きく上下に離れた状態となり、さらに目視による未開封か開封済みかの識別が容易となる。
また、周方向ブリッジ片が破断しない弾性変形内での上蓋の上昇によって、内部で容器の密封が解除されて開封状態となるような場合でも、上下ブリッジ片を設けることで、破断までの上蓋の上昇距離が周方向ブリッジ片より短く上蓋の上昇の抵抗となるため、保管時や輸送時の僅かな上蓋の動作で内部が開封状態となることがなく安全性が向上する。
さらに、最も上下移動の大きいヒンジ機構と周方向対称の位置に上下ブリッジ片を設けることで保管時や輸送時の僅かな上蓋の動作を効果的に防止することが可能となる。
また、周方向ブリッジ片を両側方に対称に設けることで、開封動作時にかかる力のバランスが保たれ、ヒンジ機構にねじれ方向の無理な力を与えることなくヒンジキャップの破損を防止することが可能となる。
さらに、周方向ブリッジ片が、それぞれスカート延長凸壁または上蓋延長凸壁の上下ブリッジ片側の対向する側端縁を接続しているため、最も上下移動の大きい位置に近く、使用者が目視しやすい位置で周方向ブリッジ片を破断することが可能となる。
このことで、開封後に再び上蓋を閉じた際の両方の残片の先端を、大きく上下に離れた状態となるように設定することが可能となり、さらに目視による未開封か開封済みかの識別が容易となる。
【００１２】
本請求項２に記載の構成によれば、弱化部の形成が容易であり、特に射出成形等の金型を使用した成形の場合は何らのコスト増加も工程増加もなく形成することが可能となる。
本請求項３に記載の構成によれば、周方向ブリッジ片が破断する際の両端部の上下位置を、初期状態の上下位置に比べて大きく異ならせることが可能となるため、破断の際に受けた力による上下方向の塑性変形をより大きくすることができる。
このことで、開封後に再び上蓋を閉じた際の周方向ブリッジ片の残片の先端部の上下のずれを大きくすることができ、さらに、目視による未開封か開封済みかの識別が容易となる。
【００１３】
本請求項４に記載の構成によれば、上下ブリッジ片を周方向ブリッジ片の両端部に近い位置にそれぞれ設けることが可能となり、保管時や輸送時の僅かな上蓋の動作による周方向ブリッジ片の弾性変形を効果的に抑制し、周方向ブリッジ片の強度の低下や予期しない破断を防止することができる。
本請求項５に記載の構成によれば、周方向ブリッジ片を長く形成することで破断後の残片の塑性変形を大きくすることができるとともに、その目視のための空間も大きくとることが可能となるため、さらに目視による未開封か開封済みかの識別が容易となる。
【図面の簡単な説明】
【００１４】
【図１】本発明の１実施形態であるヒンジキャップの未開封時の斜視図。
【図２】図１のヒンジキャップのタンパーエビデント機構の拡大図。
【図３】本発明の１実施形態であるヒンジキャップの未開封時の正面図。
【図４】本発明の１実施形態であるヒンジキャップの未開封時の背面図。
【図５】図３のヒンジキャップの容器に取り付けた状態の断面図。
【図６】本発明の１実施形態であるヒンジキャップの開封動作初期時の正面図。
【図７】図６のヒンジキャップの容器に取り付けた状態の断面図。
【図８】本発明の１実施形態であるヒンジキャップの開封動作中間時の正面図。
【図９】図８のヒンジキャップの容器に取り付けた状態の断面図。
【図１０】本発明の１実施形態であるヒンジキャップの開封動作中間時以降の完全開放までの動作工程を示す断面図。
【図１１】本発明の１実施形態であるヒンジキャップの開封後の再び上蓋を閉じた状態の正面図。
【発明を実施するための形態】
【００１５】
本発明は、容器の口部に固定されるスカート部と、該スカート部と周方向スリットを介して設けられた上蓋とを有し、周方向スリットには、上蓋をスカート部に対して回動可能に一体に接続するヒンジ機構と、未開封時はスカート部と上蓋とを一体に接続するタンパーエビデント機構が形成されてなるヒンジキャップであって、タンパーエビデント機構が、少なくとも１つの上蓋延長凸壁と、少なくとも１つのスカート延長凸壁と、少なくとも１つの周方向ブリッジ片とを有し、上蓋延長凸壁は、上蓋のスカート部側の下端縁から前記スカート部に向けて突出するように形成され、スカート延長凸壁は、上蓋延長凸壁と周方向に重ならない位置でスカート部の上蓋側の上端縁から上蓋に向けて突出するように形成され、周方向ブリッジ片は、可撓性を有し、上蓋延長凸壁とスカート延長凸壁の対向する側端縁を接続するとともに、開封時に破断する部分として長手方向の中央部に断面積が他の部分より小さくなるように形成された弱化部を有し、タンパーエビデント機構は、上蓋のスカート部側の下端縁と前記スカート延長凸壁の上端縁との間または前記スカート部の上蓋側の上端縁と上蓋延長凸壁の下端縁との間の少なくとも１箇所を開封時に破断可能に接続する少なくとも１つの上下ブリッジ片を有し、上下ブリッジ片が、ヒンジ機構と周方向対称の位置に設けられたスカート延長凸壁の上端縁または上蓋延長凸壁の下端縁に少なくとも１つ設けられ、ヒンジ機構と周方向対称の位置に設けられたスカート延長凸壁または上蓋延長凸壁の両側方に、上蓋延長凸壁またはスカート延長凸壁が左右対称に設けられ、周方向ブリッジ片が、それぞれヒンジ機構と周方向対称の位置に設けられたスカート延長凸壁または上蓋延長凸壁の両側の側端縁を、それぞれ対向する上蓋延長凸壁の側端縁またはスカート延長凸壁の側端縁と接続するように形成され、目視による未開封か開封済みかの識別を容易とするとともに、構造が単純で製造コストが低減され、開封時にゴミを発生させることなく、かつ、開封後に突出部が生じることなく、利便性を向上させるものであれば、具体的な形状、構造、材質等は、いかなるものであっても良い。
【実施例】
【００１６】
以下に、本発明の１実施形態であるヒンジキャップ１００の構成および動作について、図面に基づいて説明する。
本発明の１実施形態であるヒンジキャップ１００は、図１、図５に示すように、容器１０１の口部１０２に固定されるスカート部１２０と、該スカート部１２０と周方向スリットを介して設けられた上蓋１１０とを有し、周方向スリットには上蓋１１０をスカート部に対して回動可能に一体に接続するヒンジ機構１４０と、未開封時はスカート部１２０と上蓋１１０とを一体に接続するタンパーエビデント機構１５０が形成されている。
なお、本実施形態では、スカート部１２０の最下端側に、ヒンジキャップ１００が容器１０１の口部１０２に対して未開封か開封済みかの識別を容易とするため、スカート部タンパーエビデント環１２３が設けられている。
また、ヒンジキャップ１００の内部の容器１０１の口部１０２の先端部に、注出ノズル部１０４を有する中栓１０３が固定されるように構成されている。
該中栓１０３の注出ノズル部１０４は、上蓋１１０のノズル密封部１１２によって閉塞されるように構成されるとともに、注出ノズル部１０４の上部内周面には破断可能な切取部１０５が形成され、切取部１０５の上面に設けられた係止支柱１０６が上蓋１１０の内面に設けられた支柱係合部１１３と脱着不能に係合しており、上蓋１１０の最初の開放動作で切取部１０５が注出ノズル部１０４から切り取られて上蓋１１０の内側に保持されるように構成されている。なお、注出ノズル部１０４の切取部１０５が開口された後については、上蓋１１０のノズル密封部１１２によって、リシールされる。
上蓋１１０の上端のヒンジ機構１４０の周方向対称位置には、使用者による上蓋１１０の開放、閉塞が容易となるように前方に突出する指掛突起部１１４が設けられている。
【００１７】
タンパーエビデント機構１５０は、図２、図３に示すように、ヒンジ機構１４０の周方向対称の位置にスカート部１２０の上端縁１２１から上蓋１１０方向（周方向スリット方向）に突出するよう設けられたスカート延長凸壁１７０と、該スカート延長凸壁１７０の周方向所定間隔をあけた両側に上蓋１１０の下端縁１１１からスカート部１２０方向（周方向スリット方向）に突出するよう設けられた２つの上蓋延長凸壁１６０と、スカート延長凸壁１７０の両方の側端縁１７１と対向するそれぞれの上蓋延長凸壁１６０の側端縁１６１とを接続する２つの周方向ブリッジ片１８０と、スカート延長凸壁１７０の上端縁１７２と上蓋１１０の下端縁１１１とを接続する２つの上下ブリッジ片１９０とで構成されている。
周方向ブリッジ片１８０は、両端から中央部に向けて徐々に薄くなる形状に形成されており、かつ、中央部の最も薄い部分に外側から切込部１８２を設けて弱化部１８１が形成されている。
周方向ブリッジ片１８０で接続される対向する上蓋延長凸壁１６０の側端縁１６１とスカート延長凸壁１７０の側端縁１７１との周方向の間隔ａは、周方向ブリッジ片１８０の破断が目視しやすいよう３．５ｍｍ以上６．５ｍｍ以下に設定されている。
【００１８】
ヒンジ機構１４０は、図４、図５に示すように、上蓋１１０の下端縁１１１とスカート部１２０の上端縁１２１とを接続する１対の可撓性のヒンジ片１４１と、該１対のヒンジ片１４１の間に上蓋１１０の下端縁１１１から延びるように設けられた上蓋側規制壁１４２と、該上蓋側規制壁１４２に対向してスカート部１２０の上端縁１２１から延びるように設けられたスカート部側規制壁１４３とで構成されている。
タンパーエビデント機構１５０とヒンジ機構１４０との周方向の中間部には、周方向スリットの隙間を狭くするため、スカート部１２０の上端縁１２１から上蓋１１０に延びる側部壁１２２が設けられている。
この側部壁１２２は、上蓋１１０の下端縁１１１に設けても良く、前述したスカート延長凸壁１７０あるいは上蓋延長凸壁１６０と連続するように形成されていても良い。
【００１９】
なお、本実施形態と上下逆の構成、すなわち上蓋延長凸壁１６０をヒンジ機構１４０の周方向対称の位置に設けてスカート延長凸壁１７０をその両側部に設けても良く、上蓋延長凸壁１６０およびスカート延長凸壁１７０を周方向にさらに交互に設け、周方向ブリッジ片１８０を３つ以上としても良く、上蓋延長凸壁１６０およびスカート延長凸壁１７０をそれぞれ１つとし、周方向ブリッジ片１８０を１つとしても良い。
また、上下ブリッジ片１９０は省略しても良く、１つ、あるいは３つ以上設けても良く、その設置位置も、上蓋延長凸壁１６０の下端縁１６２とスカート部１２０の上端縁１２１との対向箇所であっても良い。
さらに、上下ブリッジ片１９０が、側部壁１２２と上蓋１１０の下端縁１１１との間に設けられていても良い。
【００２０】
以上のように構成された本発明の１実施形態であるヒンジキャップ１００の動作および作用について、図面に基づいて説明する。
初期の未開封状態では、図１乃至図３に示すように、タンパーエビデント機構１５０の２つの周方向ブリッジ片１８０および２つの上下ブリッジ片１９０は破断されておらず、上蓋１１０が閉じた状態である。
また、中栓１０３の注出ノズル部１０４は上蓋１１０のノズル密封部１１２によって閉塞されるとともに、注出ノズル部１０４の上部内周面に設けられた切取部１０５が破断されておらず注出ノズル部１０４を密封した状態であり、切取部１０５の上面に設けられた係止支柱１０６が上蓋１１０の内面に設けられた支柱係合部１１３と係合している。
【００２１】
次に、使用者が指掛突起部１１４を上方に持ち上げ、ヒンジ機構１４０を支点として上蓋１１０を回動させると、図６、図７に示すように、まず２つの上下ブリッジ片１９０が引っ張りを受けて破断する。
この時、２つの周方向ブリッジ片１８０はその両端が上下方向に引っ張られ、当該上下方向の移動量に応じた長手方向の引張力が発生するが、その長手方向の引張力は弱化部１８１の破断限界に達していない。
そして、弱化部１８１が破断せずに周方向ブリッジ片１８０の両端が上下方向に引っ張られることによって、周方向ブリッジ片１８０には曲がり方向への塑性変形が発生する。
また、この状態では、切取部１０５の上面に設けられた係止支柱１０６は上蓋１１０の内面に設けられた支柱係合部１１３により引っ張られるが、その引っ張り量は初期状態時の上下方向の遊びと切取部１０５の弾性変形の範囲内で収まることにより、切取部１０５は注出ノズル部１０４の上部内周面から破断されていない。
【００２２】
さらに、ヒンジ機構１４０を支点として上蓋１１０を回動させると、図８、図９に示すように、２つの周方向ブリッジ片１８０はその両端がさらに上下方向に引っ張られ、中央の弱化部１８１で破断する。
この時、周方向ブリッジ片１８０は破断前に強い引張力が加わっているため、スカート延長凸壁１７０の側端縁１７１および上蓋延長凸壁１６０の側端縁１６１から対向するように突出して残される第１破断片１８０ｄおよび第２破断片１８０ｕは塑性変形して、それぞれ破断された先端が上方および下方に傾斜した状態で残留する。
次いで、切取部１０５の上面に設けられた係止支柱１０６が上蓋１１０の内面に設けられた支柱係合部１１３によりさらに引っ張られ、切取部１０５のタンパーエビデント機構１５０側が注出ノズル部１０４の上部内周面からの破断が開始する。
タンパーエビデント性において、このように周方向ブリッジ片１８０の破断後に切取部１０５の破断が開始するのが好ましい。
【００２３】
この後、ヒンジ機構１４０を支点として上蓋１１０をさらに回動させると、図１０（ａ）に示すように、切取部１０５の上面に設けられた係止支柱１０６が上蓋１１０の内面に設けられた支柱係合部１１３によりさらに引っ張られて、切取部１０５の注出ノズル部１０４の上部内周面からの破断が進み、最後にヒンジ機構１４０側が破断して切取部１０５は注出ノズル部１０４の上部内周面から完全に分離する。
そして、図１０（ｂ）に示すように、分離した切取部１０５は、係止支柱１０６が上蓋１１０の内面に設けられた支柱係合部１１３に係合したままで、開封後も上蓋１１０の内面に保持されるため、開封時に切取部１０５を廃棄する必要がない。
【００２４】
さらに、本実施形態では、上蓋１１０を９０°回動させた状態で、図１０（ｃ）に示すように、平面状に形成されたヒンジ機構１４０の上蓋側規制壁１４２の外側部分が、平面状に形成されたスカート部側規制壁１４３の上面部分と重なるように構成されており、上蓋１１０の９０°開放状態を維持可能に構成されている。
このことで、容器１０１を傾けて中栓１０３の注出ノズル部１０４から内容物を注出する際に、上蓋１１０が不用意に閉じる方向に回動することがなく、上蓋１１０に内容物が当たって飛散したり、上蓋１１０が汚損することがない。
この状態から、上蓋１１０をさらに９０°以上回動させると、図１０（ｄ）に示すように、平面状に形成されたヒンジ機構１４０の上蓋側規制壁１４２の外側部分が、スカート部側規制壁１４３の外側部分と重なるように構成され、当該スカート部側規制壁１４３の外側部分の上端部が最も外側に突出するように形成されており、上蓋１１０の１８０°以上の開放状態を維持可能に構成されている。
このことで、容器１０１を倒立状態として内容物を注出する際にも、上蓋１１０が不用意に閉じる方向に回動することがなく、上蓋１１０に内容物が当たって飛散したり、上蓋１１０が汚損することがない。
【００２５】
最初の開封動作が終了した後に上蓋１１０を閉じた際には、図１１に示すように、中央で破断された周方向ブリッジ片１８０の第１破断片１８０ｄおよび第２破断片１８０ｕは、それぞれ破断された先端が上方および下方に傾斜した状態で上下方向に間隔ｂだけ離れた状態となるため、目視による開封済みの識別が極めて容易となる。
この時、従来と同様の構成の上下ブリッジ片１９０は、破断前と同一位置で元の状態に重なるため、図示のように、目視による開封済みの識別は困難である。
【産業上の利用可能性】
【００２６】
本発明のヒンジキャップは、ワンタッチで上蓋１１０を開閉でき、且つ蓋を取り外すことなく内容物を注出できるので、スポーツ飲料用キャップとして好適であるが、その他の飲料や調味料等種々の内容物の充填容器に適用可能である。
また、ヒンジ機構は、上記実施形態のものに限定されず様々な構成のものが採用可能であり、ヒンジ機構が着脱可能な構成であっても良い。
中栓およびその切取部についても、上記実施形態のものに限定されず様々な構成のものが採用可能であり、中栓を省略した構成であっても良い。
【符号の説明】
【００２７】
１００  ・・・ヒンジキャップ
１０１  ・・・容器
１０２  ・・・口部
１０３  ・・・中栓
１０４  ・・・注出ノズル部
１０５  ・・・切取部
１０６  ・・・係止支柱
１１０  ・・・上蓋
１１１  ・・・下端縁
１１２  ・・・ノズル密封部
１１３  ・・・支柱係合部
１１４  ・・・指掛突起部
１２０  ・・・スカート部
１２１  ・・・上端縁
１２２  ・・・側部壁
１２３  ・・・スカート部タンパーエビデント環
１４０  ・・・ヒンジ機構
１４１  ・・・ヒンジ片
１４２  ・・・上蓋側規制壁
１４３  ・・・スカート部側規制壁
１５０  ・・・タンパーエビデント機構
１６０  ・・・上蓋延長凸壁
１６１  ・・・側端縁
１６２  ・・・下端縁
１７０  ・・・スカート延長凸壁
１７１  ・・・側端縁
１７２  ・・・上端縁
１８０  ・・・周方向ブリッジ片
１８１  ・・・弱化部
１８２  ・・・切込部
１９０  ・・・上下ブリッジ片
【図１】
0005781974.tif 000002
【図２】
0005781974.tif 000003
【図３】
0005781974.tif 000004
【図４】
0005781974.tif 000005
【図５】
0005781974.tif 000006
【図６】
0005781974.tif 000007
【図７】
0005781974.tif 000008
【図８】
0005781974.tif 000009
【図９】
0005781974.tif 000010
【図１０】
0005781974.tif 000011
【図１１】
0005781974.tif 000012